(57)【要約】【課題】本発明は、洗浄力向上を目的とするドラム式洗濯機を提供する。【解決手段】本発明は、衣類が収容される回転ドラムと、前記回転ドラムの外周壁に設けられた複数個のリフタと、前記回転ドラムを収容し水を溜める外槽と、前記回転ドラムを駆動するモータと、前記外槽を支持する筐体とを有し、前記回転ドラムの底壁に中央から放射状に延びる複数本の隆起部を設け、前記底壁の平坦部には、凸形状とした突起を複数個有するように構成することにより、前記回転ドラムが回転することで、リフタにより掻き揚げられた衣類は、前記凸形状とした突起と擦れ合うため、汚れ落ちの効果が向上する。【選択図】  図３
2011045513.tif 000002
【特許請求の範囲】
【請求項１】
衣類が収容される回転ドラムと、前記回転ドラムの内周面に設けられたリフタと、前記回転ドラムを収容し回転ドラムと同芯上に配置し洗濯用の水を溜める外槽と、前記回転ドラムを駆動するモータと、前記外槽を支持する筐体とを有するドラム式洗濯機において、
前記回転ドラムの底壁に中央から放射状に延びる複数本の隆起部を有するとともに、
凸形状とした突起を複数個有することを特徴とするドラム式洗濯機。
【請求項２】
請求項１記載のドラム式洗濯機において、
前記凸形状とした突起は、四角錐形状を並べて複数個有することを特徴とするドラム式洗濯機。
【請求項３】
請求項１記載のドラム式洗濯機において、
前記凸形状とした突起は、円弧線上に同心円となるリブ形状を並べて有することを特徴とするドラム式洗濯機。
【請求項４】
請求項１記載のドラム式洗濯機において、
前記凸形状とした突起は、直線状の突起を並列に複数個並べて有することを特徴とするドラム式洗濯機。
【請求項５】
請求項１記載のドラム式洗濯機において、
前記凸形状とした突起は、半球状の突起を複数個並べて有することを特徴とするドラム式洗濯機。
【発明の詳細な説明】
【技術分野】
【０００１】
本発明は、ドラム式洗濯機において、洗濯時の洗浄力向上に関するものである。
【背景技術】
【０００２】
ドラム式洗濯機は、例えば、特開２００８−１２５８０４号公報（特許文献１）に示すような構成を有する。
【０００３】
このドラム式洗濯機は、洗濯物を収納する回転ドラムと、回転自在なる回転ドラムを内置するところの洗濯水を溜める外槽と、洗濯内槽を回転駆動する駆動モータと、外槽を防振支持する防振機構を有する。
【０００４】
回転ドラムは、円筒状の胴体と、胴体の後端側の底壁と、前記胴体の前側端側に設ける前側補強リングと、前側補強リングに支持される環状の流体バランサ等を有する。
【０００５】
また、特開２００５−３３４５６５号公報（特許文献２）に示すドラム式洗濯機では、洗いむらを低減するために、回転ドラムの内周に洗濯物を掻き揚げるリフタを等間隔で配置し、このリフタ間にリフタの高さより低い丈の小リフタを設けている。
【０００６】
また、特開２００５−２５３５６７号公報（特許文献３）に示すドラム式洗濯機では、洗濯物の偏りをなくし攪拌が十分になされるように、回転ドラムの底面に回転部材を設け、該回転部材に複数の突起体を設けている。
【先行技術文献】
【特許文献】
【０００７】
【特許文献１】特開２００８−１２５８０４号公報
【特許文献２】特開２００５−３３４５６５号公報
【特許文献３】特開２００５−２５３５６７号公報
【発明の概要】
【発明が解決しようとする課題】
【０００８】
ドラム式洗濯機における衣類に付着した汚れを洗浄する場合、衣類に機械力を与えて機械力による洗浄方法が行われるので、洗浄の具合は回転ドラムの内径の大小に大きく左右される。
【０００９】
すなわち、ドラム式洗濯機の場合、衣類は回転ドラムの内側に複数個のリフタを設け回転ドラムの回転により衣類を掻き揚げ回転ドラム内径の最大高さから衣類を落下させて衣類に機械力を与えて洗濯する洗浄方式であり、衣類の汚れを良く落すには、回転ドラムの内径を大きくすることが必要であった。
【００１０】
しかし、回転ドラムの内径を大きくすると必然的に洗濯機本体も大きくなり、一般住宅への設置が困難となる問題がある。
【００１１】
このため、回転ドラムの内径を大きくせずに衣類に付着した汚れを落し、かつ洗いむらも低減できる機械力を衣類に与えることが求められている。
【００１２】
本発明は、回転ドラムの内径を大きくせずに衣類の汚れ落ちの洗いむら低減や洗浄力の向上を図ることを目的とする。
【課題を解決するための手段】
【００１３】
上記目的を達成するために本発明は、
衣類が収容される回転ドラムと、前記回転ドラムの内周面に設けられた複数個のリフタと、前記回転ドラムを収容し回転ドラムと同芯上に配置し洗濯用の水を溜める外槽と、前記回転ドラムを駆動するモータと、前記回転ドラムを支持する筐体とを有するドラム式洗濯機において、前記回転ドラムに前記モータ回転軸を接続する回転ドラム底壁に中央から放射状に延びる複数本の隆起部を有するとともに、前記底壁の平坦部には、凸形状の突起を複数個有することを特徴とする。
【発明の効果】
【００１４】
本発明によれば、回転ドラムが回転すると、リフタにより掻き揚げられた衣類は底壁の突起と擦れ合いながら持ち上げられ、また、落下するときにも底壁の突起と擦れ合いながら落下する。これにより、落下による叩き洗いの効果だけでなく、擦り洗いの効果も得られ、衣類の汚れ落ちの効果が向上する。
【図面の簡単な説明】
【００１５】
【図１】本発明のドラム式洗濯乾燥機を示す外観図である。
【図２】本発明のドラム式洗濯乾燥機の内部構造を示す側面図である。
【図３】本発明のドラム式洗濯乾燥機の内部の構造を示すために洗濯兼脱水槽，外槽，モータを含む洗濯乾燥本体ユニットを示した図である。
【図４】本発明のドラム式洗濯乾燥機の洗濯兼脱水槽を前後方向の略中央部で縦に切断して底壁面を示す断面図である。
【図５】本発明のドラム式洗濯乾燥機の洗濯兼脱水槽を前後方向の略中央部で縦に切断して底壁面を示す断面図である。
【図６】本発明のドラム式洗濯乾燥機の洗濯兼脱水槽を前後方向の略中央部で縦に切断して底壁面を示す断面図である。
【図７】本発明のドラム式洗濯乾燥機の洗濯兼脱水槽を前後方向の略中央部で縦に切断して底壁面を示す断面図である。
【図８】本発明のドラム式洗濯乾燥機の洗濯兼脱水槽を前後方向の略中央部で縦に切断して底壁面を示す断面図である。
【発明を実施するための形態】
【００１６】
以下、本発明の一実施について、図面を用いて説明する。
【実施例１】
【００１７】
図１は本発明の一実施の形態例に係るドラム式洗濯乾燥機の外観図である。図２は内部の構造を示す側面図、図３は内部の構造を示すために洗濯兼脱水槽，外槽，モータを含む洗濯乾燥本体ユニットを示した図である。
【００１８】
１は、外郭を構成する筐体である。筐体１は、ベース１ｈの上に取り付けられており、左側板１ａ，右側板（図示せず），前面カバー１ｃ，背面カバー１ｄ，上面カバー１ｅ，下部前面カバー１ｆで構成されている。左右の側板１ａ，１ｂは、コの字型の上補強材（図示せず），前補強材（図示せず），後補強材（図示せず）で結合されており、ベース１ｈを含めて箱状の筐体１を形成し、筐体として十分な強度を有している。
【００１９】
９は、前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドアが開き、ドアを前面カバー１ｃに押し付けることでロックされて閉じる。前補強材は、後述する外槽の開口部と同心に、衣類を出し入れするための円形の開口部を有している。
【００２０】
６は、筐体１の上部中央に設けた操作パネルで、電源スイッチ３９，スタートスイッチ１２，操作ボタンスイッチ１３，表示器１４を備える。操作パネル６は、筐体１下部に設けた制御装置３８に電気的に接続している。
【００２１】
３は、回転可能に支持された円筒状の洗濯兼脱水槽（回転ドラム）であり、その円筒外周壁３ｄに通水および通風のための多数の貫通孔を有し、前側端面に衣類を出し入れするための開口部３ａを設けてある。開口部３ａの外側には洗濯兼脱水槽３と一体の流体バランサ３ｃを備えている。洗濯兼脱水槽３の底壁３ｅには中心から外縁部に延びる複数本の放射状の隆起部３ｆが形成されている。外周壁３ｄの内側には軸方向に延びるリフタ３ｂが複数個設けてある。洗濯兼脱水槽３の回転中心軸は、水平または開口部３ａ側が高くなるように傾斜している。
【００２２】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３の底壁３ｅの中心と結合している。前面の開口部には外槽カバー２ｄを設け、外槽内への貯水を可能としている。外槽カバー２ｄの前側中央には、衣類を出し入れするための開口部２ｃを有している。本開口部２ｃと前補強材（図示せず）に設けた開口部は、ゴム製のベローズ１０で接続しており、ドア９を閉じることで外槽２を水封する。外槽２底面最下部には、排水口２ｂが設けてあり、排水ホース２６が接続している。排水ホース２６の途中には排水弁（図示せず）が設けてあり、排水弁を閉じて給水することで外槽２に水を溜め、排水弁を開いて外槽２内の水を機外へ排出する。
【００２３】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００２４】
図４は洗濯兼脱水槽３の底壁３ｅを示す縦断面図である。
【００２５】
洗濯，乾燥時に洗濯兼脱水槽３を回転すると、衣類はリフタ３ｂと遠心力で外周壁３ｄに沿って持ち上がり、重力で落下するように動きを繰り返す。
【００２６】
リフタ３ｂによって持ち上げられる衣類は底壁３ｅの平坦部に設けられた突起３０と擦れ合う（矢印２０）。また、落下するときにも底壁３ｅの突起３０と擦れ合いながら落下する（矢印２１）。このような動きを繰り返すことにより、落下による叩き洗いの効果だけでなく、擦り洗いの効果も得られ、衣類の汚れ落ちの効果が向上する。また、洗濯中は回転ドラムが正逆回転を繰り返すため、落下による叩き洗いの効果だけでなく、擦り洗いの効果も得られ、衣類の汚れ落ちの効果が向上する。
【００２７】
図５は、第１の実施例に関する洗濯兼脱水槽３底壁３ｅの突起形状の形態例であり、Ａ−Ａ断面図は、突起の断面形状を表している。本実施の形態例は、四角錐の凸形状としている突起３０ａが特徴であり、底壁３ｅに複数個並べて配置される。四角錐底部の一辺の長さＷ１は１７mmとし、高さＨ１は４mmとしている。
【００２８】
前記突起３０ａの前記高さＨ１は、高くするほど、洗浄効果が高まるが、底壁３ｅは板厚０.６mmのステンレス鋼鈑で絞り加工し形成しているため、形成時のステンレス鋼鈑の割れ等の加工不良が発生しないで絞り加工できる最適寸法である。また、大型のプレス金型を必要とせず形成できるため、製造設備の大幅な変更および設備投資も必要としない。後述の別の実施例についても、同様の理由にて最適寸法を決定している。
【実施例２】
【００２９】
図６は、第２の実施例に関する洗濯兼脱水槽３底壁３ｅの突起形状の別の形態例であり、Ｂ−Ｂ断面図は、突起の断面形状を表している。本実施の形態例は、円弧線上に同心円となるリブ形状としている突起３０ｂが特徴であり、底壁３ｅに複数個一定の間隔で並べて配置されている。円弧線のリブ幅Ｗ２は６mmとし、リブ高さＨ２は３mmとしている。
【実施例３】
【００３０】
図７は、第３の実施例に関する洗濯兼脱水槽３底壁３ｅの突起形状の別の形態例であり、Ｃ−Ｃ断面図は、突起の断面形状を表している。本実施の形態例は、底壁３ｅにある中心から外縁部に延びる複数本の放射状の隆起部３ｆのある一つに対し平行となる直線上に並列となるリブ形状としている突起３０ｃが特徴であり、底壁３ｅに複数個一定の間隔で並べて配置されている。リブ幅Ｗ３は６mmとし、高さＨ３は３mmとしている。
【実施例４】
【００３１】
図８は、第４の実施例に関する洗濯兼脱水槽３底壁３ｅの突起形状の別の形態例であり、Ｄ−Ｄ断面図は、突起の断面形状を表している。本実施の形態例は、半球状の凸形状としている突起３０ｄが特徴であり、底壁３ｅに複数個並べて配置される。半球状の円の直径Ｗ４は２０mmとし、高さＨ４は４mmとしている。
【００３２】
以上、上記した実施例によれば、回転ドラムが回転すると、リフタにより掻き揚げられた衣類は底壁の突起（四角錐形状，円弧線上に同心円となるリブ形状，直線状の突起，半球状の突起）と擦れ合いながら持ち上げられ、また、落下するときにも底壁の突起と擦れ合いながら落下するので、落下による叩き洗いの効果だけでなく、擦り洗いの効果も得られ、衣類の汚れ落ちの効果が向上する。
【符号の説明】
【００３３】
１  筐体
２  外槽
３  洗濯兼脱水槽
３ｂ  リフタ
３ｄ  外周壁
３ｅ  底壁
３０  突起
【図１】
2011045513.tif 000003
【図２】
2011045513.tif 000004
【図３】
2011045513.tif 000005
【図４】
2011045513.tif 000006
【図５】
2011045513.tif 000007
【図６】
2011045513.tif 000008
【図７】
2011045513.tif 000009
【図８】
2011045513.tif 000010